(57)【要約】【課題】小型化を図りつつ、環状のシール部材が装着されるシール装着部における強度を十分に確保することが可能なハウジングを提供すること。【解決手段】端子が収容される端子収容室を有する端子保持部が設けられたハウジング本体と、ハウジング本体の前記端子保持部に組付けられるリテーナと、ハウジング本体における前記リテーナの組付け側に形成された筒状のシール装着部に装着される環状のシール部材と、を備えるハウジングであって、リテーナは、前記ハウジング本体への組付け方向へ突出する係合片を有し、ハウジング本体の前記端子保持部に前記リテーナが組付けられることにより、前記シール装着部の内側に前記係合片が挿入されて内面に当接される。【選択図】図６
2020202109.tif 000002
【特許請求の範囲】
【請求項１】
端子が収容される端子収容室を有する端子保持部が設けられたハウジング本体と、
前記ハウジング本体の前記端子保持部に組付けられるリテーナと、
前記ハウジング本体における前記リテーナの組付け側に形成された筒状のシール装着部に装着される環状のシール部材と、
を備えるハウジングであって、
前記リテーナは、前記ハウジング本体への組付け方向へ突出する係合片を有し、
前記ハウジング本体の前記端子保持部に前記リテーナが組付けられることにより、前記シール装着部の内側に前記係合片が挿入されて内面に当接される
ことを特徴とするハウジング。
【請求項２】
前記ハウジング本体は、前記シール装着部の内面に沿って突設されて前記端子収容室に収容される前記端子を係止するランスを有し、
前記端子収容室へ前記端子が収容された状態で、前記シール装着部の内面と前記ランスとの間に前記係合片が挿し込まれて前記ランスの前記端子を係止する方向と反対側への変位が規制され、
前記端子収容室への前記端子の収容が不完全の状態で、前記端子によって弾性変形された前記ランスに前記係合片が突き当たる
ことを特徴とする請求項１に記載のハウジング。
【請求項３】
前記ランスと前記シール装着部の内面との間に挿し込まれた前記係合片の内面側に前記ランスが当接される
ことを特徴とする請求項２に記載のハウジング。
【請求項４】
前記ハウジング本体は、嵌合相手のハウジングを係止するロック機構を備え、
前記係合片は、前記シール装着部における少なくとも前記ロック機構側の内面に当接される
ことを特徴とする請求項１〜３のいずれか一項に記載のハウジング。
【発明の詳細な説明】
【技術分野】
【０００１】
本発明は、ハウジングに関する。
【背景技術】
【０００２】
オスハウジングとメスハウジングとが嵌合されるコネクタには、メスハウジングに装着されたパッキン等の環状のシール部材によって嵌合箇所をシールするものがある（例えば、特許文献１，２参照）。
【先行技術文献】
【特許文献】
【０００３】
【特許文献１】特開２０１６−１０５３５３号公報
【特許文献２】特開２０１６−１１５４１１号公報
【発明の概要】
【発明が解決しようとする課題】
【０００４】
ところで、コネクタの小型化を図るためには、樹脂製のハウジングにおける各部の肉厚を薄くすることが有効である。しかし、メスハウジングにおける環状のシール部材の装着箇所の肉厚を薄くすると、このシール部材の装着箇所の強度が低下し、シール部材の弾性力による締め付け力によって変形するおそれがある。
【０００５】
本発明は、上述した事情に鑑みてなされたものであり、その目的は、小型化を図りつつ、環状のシール部材が装着されるシール装着部における強度を十分に確保することが可能なハウジングを提供することにある。
【課題を解決するための手段】
【０００６】
前述した目的を達成するために、本発明に係るハウジングは、下記（１）〜（４）を特徴としている。
（１）  端子が収容される端子収容室を有する端子保持部が設けられたハウジング本体と、
前記ハウジング本体の前記端子保持部に組付けられるリテーナと、
前記ハウジング本体における前記リテーナの組付け側に形成された筒状のシール装着部に装着される環状のシール部材と、
を備えるハウジングであって、
前記リテーナは、前記ハウジング本体への組付け方向へ突出する係合片を有し、
前記ハウジング本体の前記端子保持部に前記リテーナが組付けられることにより、前記シール装着部の内側に前記係合片が挿入されて内面に当接される
ことを特徴とするハウジング。
（２）  前記ハウジング本体は、前記シール装着部の内面に沿って突設されて前記端子収容室に収容される前記端子を係止するランスを有し、
前記端子収容室へ前記端子が収容された状態で、前記シール装着部の内面と前記ランスとの間に前記係合片が挿し込まれて前記ランスの前記端子を係止する方向と反対側への変位が規制され、
前記端子収容室への前記端子の収容が不完全の状態で、前記端子によって弾性変形された前記ランスに前記係合片が突き当たる
ことを特徴とする（１）に記載のハウジング。
（３）  前記ランスと前記シール装着部の内面との間に挿し込まれた前記係合片の内面側に前記ランスが当接される
ことを特徴とする（２）に記載のハウジング。
（４）  前記ハウジング本体は、嵌合相手のハウジングを係止するロック機構を備え、
前記係合片は、前記シール装着部における少なくとも前記ロック機構側の内面に当接される
ことを特徴とする（１）〜（３）のいずれか一つに記載のハウジング。
【０００７】
上記（１）の構成のハウジングによれば、ハウジング本体の端子保持部にリテーナを組付けることにより、環状のシール部材が装着されるシール装着部の内面にリテーナの係合片を当接させてシール装着部を支持することができる。これにより、小型化及び軽量化するためにハウジング本体の各部を薄肉にしても、シール部材の締め付け力によるシール装着部の変形を抑えることができる。つまり、小型化を図りつつ、環状のシール部材が装着されるシール装着部における強度を十分に確保することができる。
上記（２）の構成のハウジングによれば、係合片に、ランスの変位を規制して端子を二重係止させる二重係止機能及びランスに突き当たることで端子の挿入が不完全であることを検知する検知機能を持たせている。つまり、シール装着部の補強機能を有する係合片に、二重係止機能及び検知機能を持たせることにより、各機能を有する部位をそれぞれ設ける場合と比べ、構造及び形状の簡略化による小型化を図ることができる。
上記（３）の構成のハウジングによれば、シール装着部の内面に当接してシール装着部を支持する係合片の内面側にランスが当接される。したがって、シール装着部を支持する係合片をランスによってさらに強固に支持することができる。
上記（４）の構成のハウジングによれば、シール装着部における少なくともロック機構側が係合片によって支持される。これにより、シール装着部における少なくともロック機構側を薄肉にしてロック機構の嵩張りを抑えることができる。
【発明の効果】
【０００８】
本発明によれば、小型化を図りつつ、環状のシール部材が装着されるシール装着部における強度を十分に確保することが可能なハウジングを提供できる。
【０００９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１０】
【図１】図１は、コネクタの分解斜視図である。
【図２】図２は、オスハウジングとメスハウジングとの嵌合方向に沿うコネクタの断面図である。
【図３】図３は、オスハウジングの斜視図である。
【図４】図４は、オスハウジングを示す図であって、図４（ａ）は正面図、図４（ｂ）は側面図である。
【図５】図５は、本実施形態に係るメスハウジングの斜視図である。
【図６】図６は、本実施形態に係るメスハウジングを示す図であって、図６（ａ）は正面図、図６（ｂ）は図６（ａ）におけるＡ−Ａ断面図である。
【図７】図７は、シール部材及びリテーナの装着前におけるメスハウジングの斜視図である。
【図８】図８は、シール部材及びリテーナの装着前におけるメスハウジングを示す図であって、図８（ａ）は正面図、図８（ｂ）は図８（ａ）におけるＢ−Ｂ断面図である。
【図９】図９は、リテーナの斜視図である。
【図１０】図１０は、リテーナを示す図であって、図１０（ａ）は正面図、図１０（ｂ）は図１０（ａ）におけるＣ−Ｃ断面図である。
【図１１】図１１は、図６（ｂ）におけるＤ部拡大図である。
【発明を実施するための形態】
【００１１】
以下、本発明に係る実施の形態の例を、図面を参照して説明する。
図１は、コネクタの分解斜視図である。図２は、オスハウジングとメスハウジングとの嵌合方向に沿うコネクタの断面図である。
【００１２】
（コネクタ）
図１及び図２に示すように、本実施形態に係るメスハウジング（ハウジング）１５は、オスハウジング（嵌合相手のハウジング）１３に嵌合されるもので、オスハウジング１３とともに、コネクタ１１を構成する。このコネクタ１１は、メスハウジング１５の後方側からスライドされて装着される筒状のＣＰＡ（嵌合保証部材）１７を備えている。これらのオスハウジング１３、メスハウジング１５及びＣＰＡ１７は、それぞれ合成樹脂から成形されている。
【００１３】
（オスハウジング）
図３は、オスハウジングの斜視図である。図４は、オスハウジングを示す図であって、図４（ａ）は正面図、図４（ｂ）は側面図である。
【００１４】
図３及び図４（ａ）（ｂ）に示すように、オスハウジング１３は、メスハウジング１５との嵌合側である先端側にフード部２１を有している。このフード部２１には、その上下に、係止突起２３が形成されている。
【００１５】
オスハウジング１３は、メスハウジング１５との嵌合側と反対側である後方側に、二つの端子収容室３０を有している。図１に示すように、端子収容室３０には、電線３１の端部に接続されたオス端子３３が収容されており、電線３１は、オスハウジング１３の後端から引き出される。端子収容室３０には、電線３１に装着されたゴム栓３４がオスハウジング１３の後端側から嵌め込まれる。これにより、オス端子３３を収容するオスハウジング１３の端子収容室３０が止水される。
【００１６】
オス端子３３は、例えば、銅または銅合金等の導電性金属材料から形成されたもので、電線３１が圧着されて接続されている。このオス端子３３は、ピン状に形成されたタブ３５を有しており、タブ３５は、フード部２１内に配置される。
【００１７】
オスハウジング１３には、前端側からフロントホルダ４１及びショート端子４３が組付けられる。フロントホルダ４１は、合成樹脂から形成されたもので、このフロントホルダ４１をオスハウジング１３に組付けることで、端子収容室３０に挿し込まれて収容されたオス端子３３が端子収容室３０に収容された状態に保持される。ショート端子４３は、例えば、銅または銅合金等の導電性金属材料から形成されている。ショート端子４３は、オスハウジング１３に組付けられることで、オスハウジング１３にメスハウジング１５が嵌合されていない非嵌合状態において、オス端子３３のタブ３５に接触される。これにより、オス端子３３同士がショート端子４３で導通され、例えば、インターロック回路が形成される。
【００１８】
（メスハウジング）
図５は、本実施形態に係るメスハウジングの斜視図である。図６は、本実施形態に係るメスハウジングを示す図であって、図６（ａ）は正面図、図６（ｂ）は図６（ａ）におけるＡ−Ａ断面図である。
【００１９】
図５及び図６（ａ）（ｂ）に示すように、本実施形態に係るメスハウジング１５は、ハウジング本体５１を有している。このハウジング本体５１には、その前方側からシール部材９８及びリテーナ９９が装着される。
【００２０】
図７は、シール部材及びリテーナの装着前におけるメスハウジングの斜視図である。図８は、シール部材及びリテーナの装着前におけるメスハウジングを示す図であって、図８（ａ）は正面図、図８（ｂ）は図８（ａ）におけるＢ−Ｂ断面図である。
【００２１】
図７及び図８（ａ）（ｂ）に示すように、メスハウジング１５のハウジング本体５１には、嵌合突部５３と、ロック機構５４とが設けられている。嵌合突部５３は、ハウジング本体５１からオスハウジング１３との嵌合方向の前方側へ突出されており、オスハウジング１３のフード部２１に嵌合される。嵌合突部５３は、ハウジング本体５１側から順にシール装着部６１及び端子保持部６３とされている。端子保持部６３は、シール装着部６１から前方に突出されている。メスハウジング１５は、ハウジング本体５１における嵌合突部５３側の縁部が、シール装着部６１よりも大きい外形の嵌合縁部６５とされている。
【００２２】
ロック機構５４は、メスハウジング１５におけるハウジング本体５１の上部に設けられている。ロック機構５４は、ロックアーム５５と、解除アーム８１とを有している。ロックアーム５５は、一対の弾性アーム部７１を有している。弾性アーム部７１は、ハウジング本体５１の上面に形成された支柱部７３と、支柱部７３から前方側へ屈曲した屈曲部７５と、屈曲部７５から前方へ延びる延在部７７とを有している。弾性アーム部７１は、その延在部７７の先端同士が連結されており、この連結部分が係止部７９とされている。ロックアーム５５は、弾性アーム部７１が弾性変形することで揺動する。
【００２３】
解除アーム８１は、弾性アーム部７１の先端に連設されて後方へ延びる一対の支持アーム部８３と、これらの支持アーム部８３の後端を連結する操作部８５とを有している。支持アーム部８３は、弾性アーム部７１の支柱部７３よりもメスハウジング１５の後方側へ延在されている。これにより、操作部８５は、弾性アーム部７１の支柱部７３よりもメスハウジング１５の後方側に配置されている。
【００２４】
ロック機構５４は、オスハウジング１３とメスハウジング１５とが嵌合した際に、ロックアーム５５の係止部７９がオスハウジング１３のフード部２１における上側の係止突起２３を係止する。これにより、オスハウジング１３とメスハウジング１５とを、互いに嵌合した状態にロックする。
【００２５】
メスハウジング１５には、ハウジング本体５１から嵌合突部５３にわたって、二つの端子収容室９１が形成されている。端子収容室９１には、電線９３の端部に接続されたメス端子（端子）９５が収容され、電線９３は、メスハウジング１５の後端から引き出される。端子収容室９１には、電線９３に装着されたゴム栓９６がメスハウジング１５の後端側から嵌め込まれる。これにより、メス端子９５が収容されるメスハウジング１５の端子収容室９１の後端側が止水される。
【００２６】
嵌合突部５３の端子保持部６３は、その上部が開放されている。また、端子保持部６３には、その先端部に、一対の挿通口６６を有する前壁部６７が形成されている。前壁部６７の挿通口６６は、それぞれ端子収容室９１に対応する位置に形成されている。端子収容室９１に収容されるメス端子９５は、その先端部が端子保持部６３の前壁部６７に当接することで前方への移動が規制される。
【００２７】
また、端子収容室９１には、ランス６８が形成されている。ランス６８はハウジング本体５１に一体に成形されており、嵌合方向へ向かって延在されて端子収容室９１の内側へ張り出している。
【００２８】
メス端子９５は、角筒状に形成された電気接続部９５ａを有しており、ランス６８は、電気接続部９５ａの後端を係止する。具体的には、ハウジング本体５１の端子収容室９１にメス端子９５が挿し込まれて収容されると、ランス６８は、メス端子９５の電気接続部９５ａによって外側へ一旦弾性変形され、電気接続部９５ａが通過した後に復元する。これにより、端子収容室９１に収容されたメス端子９５は、電気接続部９５ａがランス６８で係止されてハウジング本体５１の後端側からの抜け出しが防止される。
【００２９】
ランス６８は、その先端がシール装着部６１よりも前方側へ延びている。シール装着部６１は、筒状に形成されている。シール装着部６１は、上部側が薄肉壁部８７とされており、この薄肉壁部８７とランス６８との間には、隙間Ｇが形成されている。また、薄肉壁部８７には、その縁部における内周側に、端部へ向かって次第に外周側へ傾斜するガイド面８７ａが形成されている。
【００３０】
シール装着部６１に装着されるシール部材９８は、ゴム等の弾性材料からなるもので、環状に形成されている。シール部材９８は、シール装着部６１の外径よりも僅かに小さい内径を有している。シール部材９８は、嵌合突部５３のシール装着部６１に対して、拡げられながら前方側から装着される。これにより、シール部材９８は、その弾性力によってシール装着部６１の外周面に密着した状態で装着される。
【００３１】
図９は、リテーナの斜視図である。図１０は、リテーナを示す図であって、図１０（ａ）は正面図、図１０（ｂ）は図１０（ａ）におけるＣ−Ｃ断面図である。図１１は、図６（ｂ）におけるＤ部拡大図である。
【００３２】
図９及び図１０（ａ）（ｂ）に示すように、リテーナ９９は、筒状に形成されている。このリテーナ９９は、合成樹脂から形成されている。リテーナ９９は、ハウジング本体５１の嵌合突部５３の端子保持部６３に対して前方側から嵌装される。このリテーナ９９が端子保持部６３に装着されることで、上方側が開放された端子保持部６３の上部が覆われる。これにより、端子収容室９１に挿し込まれて収容されたメス端子９５は、その周囲が覆われた状態で保持される。
【００３３】
また、リテーナ９９には、ハウジング本体５１への装着方向の前端に、一対の係合片１１１が形成されている。これらの係合片１１１は、リテーナ９９からハウジング本体５１への装着方向へ突出されている。
【００３４】
図１１に示すように、係合片１１１は、それぞれハウジング本体５１に形成されたランス６８に対応して設けられており、リテーナ９９をハウジング本体５１に装着することで、シール装着部６１の薄肉壁部８７とランス６８との隙間Ｇに挿入される。
【００３５】
係合片１１１は、その端部が薄肉に形成された薄肉部１１２とされている。係合片１１１には、その外面側に、薄肉部１１２へ向かって内側へ傾斜するテーパ面１１２ａを有している。また、係合片１１１には、その内面側に、薄肉部１１２へ向かって外側へ傾斜するテーパ面１１２ｂを有している。
【００３６】
リテーナ９９は、シール装着部６１にシール部材９８が装着され、さらに、端子収容室９１にメス端子９５が収容されたハウジング本体５１に対して組付けられる。
【００３７】
このとき、端子収容室９１に対してメス端子９５が挿入途中で不完全に収容されていると、電気接続部９５ａによって薄肉壁部８７側へ弾性変形されたランス６８は、復元することなく弾性変形したままとなる。この状態では、ハウジング本体５１へリテーナ９９を組付けようとしても、弾性変形されているランス６８に係合片１１１が突き当たるため、ハウジング本体５１への組付けができないこととなる。したがって、作業者は、リテーナ９９の組付けができないことから端子収容室９１へのメス端子９５の挿し込み不良が生じていることを認識することができる。
【００３８】
また、リテーナ９９をハウジング本体５１に組み付けることで、係合片１１１がシール装着部６１の薄肉壁部８７とランス６８との隙間Ｇに挿入される。これにより、係合片１１１によってランス６８の変位が規制され、メス端子９５のランス６８による係止状態が維持される。このとき、係合片１１１は、薄肉壁部８７の内面に当接された状態となる。これにより、薄肉壁部８７は、係合片１１１によって端部が支持された状態となる。さらに、係合片１１１は、その内面にランス６８が当接された状態となる。これにより、薄肉壁部８７の端部を支持している係合片１１１は、ランス６８によって内側から支持された状態となる。
【００３９】
なお、ハウジング本体５１にリテーナ９９を組付ける際に、係合片１１１は、薄肉壁部８７のガイド面８７ａ及びテーパ面１１２ａによって案内されてシール装着部６１の薄肉壁部８７の内側へ円滑に挿し込まれる。また、ハウジング本体５１にリテーナ９９を組付ける際に、ランス６８は、係合片１１１のテーパ面１１２ｂによって案内されて係合片１１１の内側へ円滑に挿し込まれる。したがって、ハウジング本体５１にリテーナ９９を組付ける際に、係合片１１１をシール装着部６１の薄肉壁部８７とランス６８との隙間Ｇへ円滑に挿し込むことができる。
【００４０】
（ＣＰＡ）
図１及び図２に示すように、ＣＰＡ１７は、角筒状に形成された本体部１０１を有しており、メスハウジング１５に対して後方から被せられて嵌合方向にスライド可能に装着される。ＣＰＡ１７には、本体部１０１の上下に係合アーム１０３を有している。これらの係合アーム１０３は、本体部１０１に片持ち梁状に支持されており、先端部には、内側へ突出する係合爪１０５が形成されている。ＣＰＡ１７は、メスハウジング１５に装着されると、上側の係合アーム１０３の係合爪１０５がロックアーム５５の係止部７９の後部に当接する。
【００４１】
（嵌合手順）
次に、オスハウジング１３とメスハウジング１５との嵌合について説明する。
オスハウジング１３と、ＣＰＡ１７が装着されたメスハウジング１５とを嵌合させると、ＣＰＡ１７の上側の係合アーム１０３によって係止部７９が嵌合方向の前方に押圧される。
【００４２】
そして、ロックアーム５５の係止部７９がオスハウジング１３のフード部２１の上側の係止突起２３を乗り越えて係止すると、オスハウジング１３とメスハウジング１５とが嵌合された状態にロックされる。また、嵌合方向の前方側へ押し込まれたＣＰＡ１７の上側の係合アーム１０３の係合爪１０５が、フード部２１の上側の係止突起２３を係止しているロックアーム５５の係止部７９に係合し、下側の係合アーム１０３の係合爪１０５がフード部２１の下側の係止突起２３を係止する。これにより、ＣＰＡ１７が上下の係合アーム１０３によってオスハウジング１３にロックされるとともに、ロックアーム５５の係止部７９による係止突起２３の係止状態がＣＰＡ１７の上側の係合アーム１０３によって維持されて嵌合保証状態が確保される。
【００４３】
そして、オスハウジング１３とメスハウジング１５とが嵌合されると、オスハウジング１３のフード部２１に、リテーナ９９が装着されたメスハウジング１５の嵌合突部５３が挿入される。これにより、リテーナ９９によってショート端子４３が押し下げられてオス端子３３のタブ３５から離間し、オス端子３３の短絡状態が解除されるとともに、オス端子３３のタブ３５がメス端子９５に挿し込まれて互いに電気的に接続される。
【００４４】
また、オスハウジング１３とメスハウジング１５とが嵌合されると、オスハウジング１３のフード部２１の内周面にメスハウジング１５のシール装着部６１に装着されたシール部材９８が密着する。これにより、オスハウジング１３とメスハウジング１５との嵌合箇所がシールされる（図２参照）。
【００４５】
ところで、メスハウジング１５を小型化するためには、各部の肉厚を薄くすることが有効である。しかし、環状のシール部材９８が装着される筒状に形成されたシール装着部６１の肉厚を薄くすると、シール部材９８の弾性力による締め付け力によってシール装着部６１が変形するおそれがある。
【００４６】
本実施形態に係るメスハウジング１５では、ハウジング本体５１の端子保持部６３にリテーナ９９を組付けることにより、環状のシール部材９８が装着されるシール装着部６１の薄肉壁部８７の内面にリテーナ９９の係合片１１１を当接させてシール装着部６１を支持することができる。これにより、小型化及び軽量化するためにハウジング本体５１の各部を薄肉にしても、シール部材９８の締め付け力によるシール装着部６１の変形を抑えることができる。つまり、小型化を図りつつ、環状のシール部材９８が装着されるシール装着部６１における強度を十分に確保することができる。
【００４７】
また、係合片１１１に、ランス６８の変位を規制してメス端子９５を二重係止させる二重係止機能及びランス６８に突き当たることでメス端子９５の挿入が不完全であることを検知する検知機能を持たせている。つまり、シール装着部６１の補強機能を有する係合片１１１に、二重係止機能及び検知機能を持たせることにより、各機能を有する部位をそれぞれ設ける場合と比べ、構造及び形状の簡略化による小型化を図ることができる。
【００４８】
しかも、シール装着部６１の薄肉壁部８７の内面に当接してシール装着部６１を支持する係合片１１１の内面側にランス６８が当接される。したがって、シール装着部６１を支持する係合片１１１をランス６８によってさらに強固に支持することができる。
【００４９】
また、シール装着部６１におけるロック機構５４側が係合片１１１によって支持される。これにより、シール装着部６１におけるロック機構５４側を薄肉壁部８７としてロック機構５４の嵩張りを抑えることができる。
【００５０】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５１】
ここで、上述した本発明に係るハウジングの実施形態の特徴をそれぞれ以下［１］〜［４］に簡潔に纏めて列記する。
［１］  端子（メス端子９５）が収容される端子収容室（９１）を有する端子保持部（６３）が設けられたハウジング本体（５１）と、
前記ハウジング本体（５１）の前記端子保持部（６３）に組付けられるリテーナ（９９）と、
前記ハウジング本体（５１）における前記リテーナ（９９）の組付け側に形成された筒状のシール装着部（６１）に装着される環状のシール部材（９８）と、
を備えるハウジング（メスハウジング１５）であって、
前記リテーナ（９９）は、前記ハウジング本体（５１）への組付け方向へ突出する係合片（１１１）を有し、
前記ハウジング本体（５１）の前記端子保持部（６３）に前記リテーナ（９９）が組付けられることにより、前記シール装着部（６１）の内側に前記係合片（１１１）が挿入されて内面に当接される
ことを特徴とするハウジング。
［２］  前記ハウジング本体（５１）は、前記シール装着部（６１）の内面に沿って突設されて前記端子収容室（９１）に収容される前記端子（メス端子９５）を係止するランス（６８）を有し、
前記端子収容室（９１）へ前記端子（メス端子９５）が収容された状態で、前記シール装着部（６１）の内面と前記ランス（６８）との間に前記係合片（１１１）が挿し込まれて前記ランス（６８）の前記端子（メス端子９５）を係止する方向と反対側への変位が規制され、
前記端子収容室（９１）への前記端子（メス端子９５）の収容が不完全の状態で、前記端子（メス端子９５）によって弾性変形された前記ランス（６８）に前記係合片（１１１）が突き当たる
ことを特徴とする［１］に記載のハウジング。
［３］  前記ランス（６８）と前記シール装着部（６１）の内面との間に挿し込まれた前記係合片（１１１）の内面側に前記ランス（６８）が当接される
ことを特徴とする［２］に記載のハウジング。
［４］  前記ハウジング本体（５１）は、嵌合相手のハウジング（オスハウジング１３）を係止するロック機構（５４）を備え、
前記係合片（１１１）は、前記シール装着部（６１）における少なくとも前記ロック機構（５４）側の内面に当接される
ことを特徴とする［１］〜［３］のいずれか一つに記載のハウジング。
【符号の説明】
【００５２】
１３：オスハウジング（嵌合相手のハウジング）
１５：メスハウジング（ハウジング）
５１：ハウジング本体
５４：ロック機構
６１：シール装着部
６３：端子保持部
６８：ランス
９１：端子収容室
９５：メス端子（端子）
９８：シール部材
９９：リテーナ
１１１：係合片
【図１】
2020202109.tif 000003
【図２】
2020202109.tif 000004
【図３】
2020202109.tif 000005
【図４】
2020202109.tif 000006
【図５】
2020202109.tif 000007
【図６】
2020202109.tif 000008
【図７】
2020202109.tif 000009
【図８】
2020202109.tif 000010
【図９】
2020202109.tif 000011
【図１０】
2020202109.tif 000012
【図１１】
2020202109.tif 000013